(57)【要約】【課題】取り付け作業の際、係止部材の状態を肉眼にて確認することができ、特殊な工具も不要であり、かつユーザの押圧操作によって表示装置自体が揺れることを未然に防止できる表示装置、及び該表示装置の取り付け構造を提供することにある。【解決手段】設置Ｆに対向配置され、扁平筐体形状を有する液晶テレビジョン１において、設置面Ｆとの対向面の縁部には係止部材４０，４０を設け、設置面Ｆには係止部材４０，４０に対応する被係止部材４３，４３を取り付ける。【選択図】図３
2015045697.tif 000002
【特許請求の範囲】
【請求項１】
設置面に対向配置され、扁平筐体形状を有する表示装置において、
前記設置面との対向面の縁部に設けられた係止部材を備えることを特徴とする表示装置。
【請求項２】
前記係止部材に取っ手が設けられていることを特徴とする請求項１に記載の表示装置。
【請求項３】
前記係止部材は対向する両縁部に設けられていることを特徴とする請求項１又は２に記載の表示装置。
【請求項４】
請求項１から３の何れか一つに記載の表示装置の取り付け構造において、
前記設置面に取り付けられ、前記係止部材に対応する被係止部材と、
前記係止部材に設けられた第１貫通穴と、
前記被係止部材に設けられ、前記第１貫通穴と対応する第２貫通穴と、
前記第１貫通穴及び第２貫通穴を挿通する挿通部材と
を有することを特徴とする取り付け構造。
【発明の詳細な説明】
【技術分野】
【０００１】
本発明は、設置面に対向配置され、扁平筐体形状を有する表示装置及び取り付け構造に関する。
【背景技術】
【０００２】
近年、壁面に設置するいわゆる壁掛け型ディスプレイ等の表示装置の普及が増えている。このような表示装置においては、表示装置取付用の壁掛取付装置を壁面に予め固定した後、当該壁掛取付装置に表示装置を取り付ける。
【０００３】
一方、特許文献１には、所定の表示装置を壁面に取り付けるにおいて、固定対象となる壁面に対向する設置面を有する枠体を備え、前記枠体の設置面は、壁面に設けられる所定の金具により掛止可能な掛止用開口部と、壁面に前記枠体をネジ止め固定するために設けられ、所定のネジ止め位置自由度を有する複数の固定用ネジ穴と、複数の位置決め用穴とを有する壁掛取付装置が開示されており、所定の表示装置をマルチ配置するための複数の壁掛取付装置の取付を、簡単、かつ正確に行うことができる。
【先行技術文献】
【特許文献】
【０００４】
【特許文献１】特開２０１１−７５７５７号公報
【発明の概要】
【発明が解決しようとする課題】
【０００５】
一方、従来においては、表示装置の国際基準であるＶＥＳＡ基準に準拠した、画面中央位置を基準として規定されたピッチ、取付用ネジ孔を設けることで、ＶＥＳＡ準拠で設計されて製造された壁掛金具が使用されていた。
【０００６】
図６は従来の表示装置の背面図及び側面図であり、図７は従来の表示装置を設置面に取り付けた場合を説明する説明図である。斯かる従来の液晶テレビジョンは壁掛け型であり、その周縁部が中空矩形のベゼル２００によって覆われている。
【０００７】
前記液晶テレビジョンの裏側には、バックキャビネット３００が突設されており、バックキャビネット３００には、いわゆる光学シート、反射シート、各種電子部品等が収容される。また、ベゼル２００の両短辺側の縁部、すなわち、前記液晶テレビジョンの長手方向の両縁部には複数の取っ手４１０，４１０，４１０が設けられている。
【０００８】
また、前記液晶テレビジョンの裏側の中央部には壁掛金具４３０が設けられており、該液晶テレビジョンを設置すべき側に取り付けられ、壁掛金具４３０に対応する被壁掛金具４００に、壁掛金具４３０を係止させることにより、従来の液晶テレビジョンを壁に掛けることができる。
【０００９】
しかし、このような従来の液晶テレビジョンにおいては、画面中央位置を基準として規定されたピッチ、取付用ネジ孔であることより、壁掛金具４３０が液晶テレビジョンの裏側の中央寄りに配置されている。従って、液晶テレビジョンの画面サイズが大きくなると、設置時に壁掛金具４３０の取付構造部が見づらくなって設置作業性が劣り、取り付けの際に壁掛金具４３０にネジ止め等を行なう場合は、先端までが長い特殊の工具が必要となる等の問題があった。
【００１０】
また、斯かる従来の液晶テレビジョンにおいては、設置する液晶テレビジョンが画面に触れて操作が出来るタッチパネル搭載機である場合、当該液晶テレビジョンの周縁部に所定のボタンが設けられている場合等は、ユーザによる押圧操作によって液晶テレビジョンの揺れが生じて壁掛金具４３０側の少しのクリアランスが押圧操作の度に益々大きくなっていくという問題もあった。
【００１１】
本発明は、斯かる事情に鑑みてなされたものであり、その目的とするところは、設置面に対向配置され、扁平筐体形状を有する表示装置において、前記設置面との対向面の縁部に設けられた係止部材を備えることにより、取り付け作業の際、前記係止部材の状態を肉眼にて確認することができ、特殊な工具も不要であり、かつユーザの押圧操作によって表示装置自体が揺れることを未然に防止できる表示装置、及び該表示装置の取り付け構造を提供することにある。
【課題を解決するための手段】
【００１２】
本発明に係る表示装置は、設置面に対向配置され、扁平筐体形状を有する表示装置において、前記設置面との対向面の縁部に設けられた係止部材を備えることを特徴とする。
【００１３】
本発明に係る表示装置は、前記係止部材に取っ手が設けられていることを特徴とする。
【００１４】
本発明に係る表示装置は、前記係止部材は対向する両縁部に設けられていることを特徴とする。
【００１５】
本発明に係る取り付け構造は、前述の発明の何れか一つに記載の表示装置の取り付け構造において、前記設置面に取り付けられ、前記係止部材に対応する被係止部材と、前記係止部材に設けられた第１貫通穴と、前記被係止部材に設けられ、前記第１貫通穴と対応する第２貫通穴と、前記第１貫通穴及び第２貫通穴を挿通する挿通部材とを有することを特徴とする。
【発明の効果】
【００１６】
本発明によれば、表示装置の取り付け作業の際、前記係止部材の状態を肉眼にて確認することができ、特殊な工具も不要であり、かつユーザの押圧操作によって表示装置自体が揺れることを未然に防止できる。
【図面の簡単な説明】
【００１７】
【図１】本発明の実施の形態１に係る液晶テレビジョンの正面図である。
【図２】本発明の実施の形態１に係る液晶テレビジョンの背面図、側面図及び底面図である。
【図３】本発明の実施の形態１に係る液晶テレビジョンにおいて、係止部材及び被係止部材の係止の前後を説明する説明図である。
【図４】本発明の実施の形態１に係る液晶テレビジョンにおいて、本体部を被係止部材に取り付ける方法を説明する説明図である。
【図５】本発明の実施の形態２に係る液晶テレビジョンの背面図及び側面図である。
【図６】従来の表示装置の背面図及び側面図である。
【図７】従来の表示装置を設置面に取り付けた場合を説明する説明図である。
【発明を実施するための形態】
【００１８】
以下に、本発明の実施の形態に係る表示装置を、いわゆる液晶表示パネルを備える、壁掛け型液晶テレビジョンに適用した場合を例として、図面に基づいて詳述する。
【００１９】
（実施の形態１）
図１は本発明の実施の形態１に係る液晶テレビジョンの正面図である。本発明の実施の形態１に係る液晶テレビジョン１は、全体として横長の矩形状をなしている。液晶テレビジョン１は壁等の設置面と対向するように設置され、該設置面と対向側（以下、裏側）の反対側（以下、表側）に画像を表示する。以下、説明の便宜上、液晶テレビジョン１の長手方向を横方向とし、短手方向を縦方向とする。液晶テレビジョン１は、表側に表示パネルである液晶パネル１０を備えている。
【００２０】
液晶パネル１０は、透明な一対のガラス基板が所定のギャップを隔てた状態で貼り合わせられるとともに、両ガラス基板間に液晶層が封入された構成である。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、ＲＧＢ等の各着色部が所定配列で配置されたカラーフィルタ、対向電極、さらには配向膜等が設けられている。液晶パネル１０はその周縁部が中空矩形のベゼル２０によって覆われている。
【００２１】
図２は本発明の実施の形態１に係る液晶テレビジョン１の背面図、側面図及び底面図である。図２（Ａ）は液晶テレビジョン１の背面図であり、図２（Ｂ）は液晶テレビジョン１の側面図であり、図２（Ｃ）は液晶テレビジョン１の底面図である。
【００２２】
液晶テレビジョン１の裏側には、ベゼル２０によって占められる部分を除く部分が突設され、バックキャビネット３０が設けられている。換言すれば、バックキャビネット３０の周縁にはベゼル２０が設けられている。バックキャビネット３０には、いわゆる光学シート、反射シート、各種電子部品等が収容される。
【００２３】
ベゼル２０は、液晶パネル１０及びバックキャビネット３０の周縁を取り囲むように周設されている。ベゼル２０の両短辺側の縁部、すなわち、液晶テレビジョン１の長手方向の両縁部には複数の取っ手４１，４１，４１が設けられている。
【００２４】
より詳しくは、液晶テレビジョン１の裏側であって、ベゼル２０の両短辺側の縁部には後述する係止部材４０，４０が設けられており、取っ手４１，４１，４１は、係止部材４０，４０に設けられている。液晶テレビジョン１を前記設置面に取り付ける作業を行なう作業者は、取っ手４１，４１，４１を適宜用いて斯かる作業を行なう。
【００２５】
上述したように、液晶テレビジョン１の裏側においては、ベゼル２０の両短辺側の縁部に係止部材４０，４０が設けられている。係止部材４０，４０が、後述する被係止部材４３，４３に係止されることにより、液晶テレビジョン１が前記設置面に取り付けられる。
【００２６】
係止部材４０，４０は中空の角柱形状を有しており、ベゼル２０の両短辺側の縁部に沿って、夫々縦方向に設けられている。係止部材４０，４０は、４つの側面のうち、一の側面がベゼル２０の縁部と接した状態にて、例えば、複数ネジ止め等されることにより、取り付けられる。
【００２７】
また、係止部材４０，４０においては、前記一の側面と対向する他の側面に、夫々３つの貫通口４２，４２，４２が形成されている。貫通口４２，４２，４２は矩形をなしており、係止部材４０，４０の長手方向における、上端部、中央部、下端部に夫々形成されている。貫通口４２，４２，４２を介して、後述する被係止部材４３のフック４４が係止部材４０，４０の内側に挿入され、フック４４の先端部が係止部材４０の内壁と当接することにより、係止部材４０，４０及び被係止部材４３，４３が係止され、液晶テレビジョン１が前記設置面に取り付けられる。
【００２８】
取っ手４１，４１，４１は、係止部材４０，４０の前記一の側面及び他の側面を除く側面のうち、外側の側面に設けられている。また、取っ手４１，４１，４１を取り外し可能に構成しても良い。
【００２９】
本発明においては、このように、取っ手４１，４１，４１が係止部材４０，４０に設けられているので、ベゼル２０に取っ手４１，４１，４１を取り付けるための場所を確保する必要がなく、液晶テレビジョン１をコンパクト化することができる。
【００３０】
係止部材４０，４０の前記外側の側面であって、取っ手４１，４１，４１の上方には夫々貫通穴４６，４６，４６が形成されている。貫通穴４６，４６，４６が形成された位置は、係止部材４０，４０及び被係止部材４３，４３が係止した場合に、後述するフック４４の貫通穴４７と整合する位置である。従って、例えば、ネジ、リベット等を係止部材４０の貫通穴４６と、フック４４の貫通穴４７とに、共に挿通させて差し込むことにより、係止部材４０，４０及び被係止部材４３，４３の係止が解除されることを防止できる。
【００３１】
図３は本発明の実施の形態１に係る液晶テレビジョン１において、係止部材４０，４０及び被係止部材４３，４３の係止の前後を説明する説明図である。
【００３２】
壁の設置面Ｆには、係止部材４０，４０と対応する位置に被係止部材４３，４３が取り付けられている。被係止部材４３，４３は横断面視Ｌ字形状である。被係止部材４３，４３は、短冊形状を有し、設置面Ｆに取り付けられる基部と、該基部の外側長辺の縁から、垂直に延設されたフック部とを有している。該フック部の端部には、係止部材４０，４０の貫通口４２，４２，４２に対応するように３つのフック４４，４４，４４が設けられている。また、フック４４，４４，４４の先端部には貫通穴４７，４７，４７が夫々形成されている。以下、説明の便宜上、液晶テレビジョン１において、被係止部材４３，４３を除く部分を本体部という。
【００３３】
作業者が液晶テレビジョン１を設置面Ｆに取り付ける作業を行なう場合、取っ手４１，４１，４１を適宜用いて、図３中矢印にて表示しているように、本体部の係止部材４０，４０と、被係止部材４３，４３，４３とを係止させ、ネジ、リベット等の挿通部材４５を係止部材４０の貫通穴４６，４６，４６及びフック４４，４４，４４の貫通穴４７，４７，４７に挿通するように差し込むことにより、液晶テレビジョン１を設置面Ｆに取り付けることができる。
【００３４】
このように、本発明に係る液晶テレビジョン１においては、液晶テレビジョン１の端部にて係止部材４０，４０と被係止部材４３，４３とが係止しているので、上述したような問題を解決出来る。
【００３５】
すなわち、従来の液晶テレビジョンにおいては、裏側の中央部に係止部材が設けられていたので、液晶テレビジョンの中央部のみが設置面に固定されている。従って、周縁部（例えば、ベゼル）に設けられたボタン等を押圧する場合、押圧方向又は反押圧方向に液晶テレビジョンが揺れることがある。また、このような揺れが重なる場合には、液晶テレビジョンと設置面との固定も緩くなるので、これによって斯かる固定が解除され、液晶テレビジョンが落下する虞もある。
【００３６】
これに対して、本発明に係る液晶テレビジョン１においては、液晶テレビジョン１の端部にて設置面Ｆに固定されているので、上述したような押圧操作の際に液晶テレビジョン１が揺れることはなく、液晶テレビジョン１と設置面Ｆとの固定が緩くなることを未然に防止できる。
【００３７】
図４は本発明の実施の形態１に係る液晶テレビジョン１において、本体部を被係止部材４３，４３に取り付ける方法を説明する説明図である。
【００３８】
作業者は液晶テレビジョン１を設置面Ｆに取り付ける作業を行なう場合、取っ手４１，４１，４１を適宜用いて本体部を持ち上げ、係止部材４０，４０及び被係止部材４３，４３の位置を適切に合わせる。（図４Ａ参照）
【００３９】
次いで、作業者は肉眼の視認しながら、係止部材４０，４０の貫通口４２，４２，４２を介して、被係止部材４３，４３，４３のフック４４，４４，４４を係止部材４０，４０の内側に挿入させる。（図４Ｂ参照）
【００４０】
この際、フック４４の先端部が係止部材４０の内壁と当接し、係止部材４０，４０及び被係止部材４３，４３が係止される。また、この際、係止部材４０の貫通穴４６，４６，４６及びフック４４，４４，４４の貫通穴４７，４７，４７の位置が整合する状態になる。
【００４１】
引き続き、作業者は工具Ｔを用いて、肉眼で視認しながら、係止部材４０の貫通穴４６，４６，４６及びフック４４，４４，４４の貫通穴４７，４７，４７を通してネジ、リベット等の挿通部材４５を挿通させる。（図４Ｃ参照）
【００４２】
このような作業によって、液晶テレビジョン１はその端部にて設置面Ｆに固定され、設置面Ｆに取り付けられる。（図４Ｄ参照）
【００４３】
以上のように、本発明の実施の形態１に係る液晶テレビジョン１においては、液晶テレビジョン１の端部にて係止部材４０，４０と被係止部材４３，４３とが係止するので、作業者が液晶テレビジョン１を設置面Ｆに取り付ける作業の際、係止部材４０，４０を被係止部材４３，４３に係止する作業、貫通穴４６，４６，４６及び貫通穴４７，４７，４７を通してネジ、リベット等の挿通部材４５を挿通させる作業等の場合、肉眼による確認ができ、正確かつ迅速な作業ができる。
【００４４】
また、従来の液晶テレビジョンにおいては、裏側の中央部に係止部材が設けられ、液晶テレビジョンの中央部のみが設置面に固定されることから、該液晶テレビジョンが大型であるような場合は、先端までが長い特殊な道具を用いる必要があるが、本発明に係る液晶テレビジョン１においては、このような特殊な道具が不要であり、作業性が高まる。
【００４５】
（実施の形態２）
本発明の実施の形態１においては、液晶テレビジョン１の本体部に係止部材４０，４０が設けられており、設置面Ｆに被係止部材４３，４３が設けられる場合を例として説明したが、本発明にこれに限るものでない。
【００４６】
図５は本発明の実施の形態２に係る液晶テレビジョン１の背面図及び側面図である。図５（Ａ）は液晶テレビジョン１の背面図であり、図５（Ｂ）は液晶テレビジョン１の側面図である。
【００４７】
例えば、図５に示したように、液晶テレビジョン１の本体部に被係止部材４３，４３が設けられており、設置面Ｆに係止部材４０，４０が設けられる構成であっても良い。
【００４８】
実施の形態１と同様の部分については、同一の符号を付して詳細な説明を省略する。
【００４９】
（実施の形態３）
以上の記載においては、係止部材４０，４０が液晶テレビジョン１の長手方向の端部に設けられた場合を例に説明したが本発明はこれに限るものでない。例えば、係止部材４０，４０を液晶テレビジョン１の短手方向の端部に設けた構成であっても良く、長手方向の端部及び短手方向の端部の両方に設けた構成であっても良い。
【００５０】
本発明においては、設置面Ｆに対向配置され、扁平筐体形状を有する表示装置１において、前記設置面Ｆとの対向面の縁部に設けられた係止部材４０を備えることを特徴とする。
【００５１】
本発明によれば、前記表示装置の端部にて設置面Ｆに固定されているので、上述したような押圧操作に揺れることはなく、液晶テレビジョン１と設置面Ｆとの固定が緩くなることを未然に防止できる。
【００５２】
本発明においては、前記係止部材４０に取っ手４１が設けられていることを特徴とする。
【００５３】
本発明によれば、前記取っ手が前記係止部材に設けられているので、別途取っ手を取り付けるための場所を設ける必要がなく、表示装置をコンパクト化することができる。
【００５４】
本発明においては、前記係止部材４０は対向する両縁部に設けられていることを特徴とする。
【００５５】
本発明によれば、前記係止部材が対向する両縁部に設けられており、作業者は表示装置を設置面に取り付ける作業を行なう場合、取っ手を適宜用いて斯かる作業を行なう。
【００５６】
本発明においては、前述の発明の何れか一つに記載の表示装置１の取り付け構造において、前記設置面Ｆに取り付けられ、前記係止部材４０に対応する被係止部材４３と、前記係止部材４０に設けられた第１貫通穴４６と、前記被係止部材４３に設けられ、前記第１貫通穴４６と対応する第２貫通穴４７と、前記第１貫通穴４６及び第２貫通穴４７を挿通する挿通部材４５とを有することを特徴とする。
【００５７】
本発明によれば、作業者は肉眼で視認しながら係止部材の第１貫通穴及び被係止部材の第２貫通穴を通してネジ、リベット等の挿通部材を挿通させる。これによって、係止部材及び被係止部材の係止を防止する。
【符号の説明】
【００５８】
１  液晶テレビジョン（表示装置）
４０  係止部材
４１  取っ手
４３  被係止部材
４５  挿通部材
４６  貫通穴（第１貫通穴）
４７  貫通穴（第２貫通穴）
Ｆ  設置面
【図１】
2015045697.tif 000003
【図２】
2015045697.tif 000004
【図３】
2015045697.tif 000005
【図４】
2015045697.tif 000006
【図５】
2015045697.tif 000007
【図６】
2015045697.tif 000008
【図７】
2015045697.tif 000009